(57)【特許請求の範囲】
【請求項１】
シリコンウェーハの仕上げ研磨を行う仕上げ研磨工程で使用される仕上げ研磨用組成物と、前記仕上げ研磨工程の１段階前の研磨工程である前研磨工程で使用される前研磨用組成物と、を備える研磨用組成物セットであって、
下記のａ１工程、ａ２工程、ａ３工程、及びａ４工程をこの順に行う標準試験１で求められる前記前研磨用組成物の親水性パラメータＰ１が１００未満で、下記のｂ１工程、ｂ２工程、及びｂ３工程をこの順に行う標準試験２で求められる前記前研磨用組成物の仕上げ精度パラメータＰ２が１０００以下で、下記のｃ１工程、ｃ２工程、及びｃ３工程をこの順に行う標準試験３で求められる前記仕上げ研磨用組成物の研磨加工性パラメータＦ１が４５以下である研磨用組成物セット。
〔標準試験１〕
（ａ１）前記前研磨用組成物を使用して、研磨対象物であるシリコンウェーハと同材質のシリコン試験片を研磨する。前記シリコン試験片は、円形のウェーハ又は四角形に切断したチップである。
（ａ２）前記シリコン試験片の研磨された表面を純水で洗浄して、前記前研磨用組成物を洗い流す。
（ａ３）純水洗浄した前記シリコン試験片を、該シリコン試験片が円形の場合は直径が鉛直方向に沿うような姿勢で、また、該シリコン試験片が四角形の場合は一方の対角線が鉛直方向に沿うような姿勢で３０秒間静置し、直径又は対角線のうち前記シリコン試験片の表面が純水で濡れていない領域の長さを測定し、その長さを撥水距離とする。
（ａ４）測定した撥水距離から、下記式に基づいて前記前研磨用組成物の親水性パラメータＰ１を算出する。
親水性パラメータＰ１＝｛（シリコン試験片の直径又は対角線の長さ［ｍｍ］）−（撥水距離［ｍｍ］）｝／（シリコン試験片の直径又は対角線の長さ［ｍｍ］）×１００
〔標準試験２〕
（ｂ１）前記前研磨用組成物を使用して、研磨対象物であるシリコンウェーハと同材質のシリコンウェーハ試験片を研磨する。
（ｂ２）標準研磨用組成物を使用して、研磨対象物であるシリコンウェーハと同材質のシリコンウェーハ試験片を研磨する。
前記標準研磨用組成物は、平均一次粒子径３５ｎｍのコロイダルシリカ０．４６質量％、アンモニア０．００９質量％、重量平均分子量２５万のヒドロキシエチルセルロース０．０１７質量％、ポリエチレンオキシドとポリプロピレンオキシドとからなる共重合体０．００２質量％を含有し、残部は水である。
（ｂ３）ｂ１工程で研磨したシリコンウェーハ試験片のヘイズｈ２と、ｂ２工程で研磨したシリコンウェーハ試験片のヘイズαとを測定し、下記式に基づいて前記前研磨用組成物の仕上げ精度パラメータＰ２を算出する。
仕上げ精度パラメータＰ２＝ｈ２／α×１００
〔標準試験３〕
（ｃ１）前記仕上げ研磨用組成物を使用して、研磨対象物であるシリコンウェーハと同材質のシリコンウェーハ試験片を研磨する。
（ｃ２）標準試験２の標準研磨用組成物を使用して、研磨対象物であるシリコンウェーハと同材質のシリコンウェーハ試験片を研磨する。
（ｃ３）ｃ１工程の研磨前後の前記シリコンウェーハ試験片の質量差から、ｃ１工程の研磨の研磨速度Ｒを算出するとともに、ｃ２工程の研磨前後の前記シリコンウェーハ試験片の質量差から、ｃ２工程の研磨の研磨速度βを算出する。そして、下記式に基づいて前記仕上げ研磨用組成物の研磨加工性パラメータＦ１を算出する。
研磨加工性パラメータＦ１＝Ｒ／β×１００
【請求項２】
前記仕上げ研磨用組成物及び前記前研磨用組成物はいずれも砥粒と塩基性化合物と水溶性高分子とを含有する組成物である請求項１に記載の研磨用組成物セット。
【請求項３】
シリコンウェーハの仕上げ研磨を行う仕上げ研磨工程と、前記仕上げ研磨工程の１段階前の研磨工程である前研磨工程と、を備えるシリコンウェーハの研磨方法であって、請求項１又は請求項２に記載の研磨用組成物セットを使用して前記仕上げ研磨工程及び前記前研磨工程を行うシリコンウェーハの研磨方法。
【請求項４】
シリコンウェーハの仕上げ研磨を行う仕上げ研磨工程と、前記仕上げ研磨工程の１段階前の研磨工程である前研磨工程と、を備えるシリコンウェーハの研磨方法の前記仕上げ研磨工程で使用される仕上げ研磨用組成物であって、
下記のｃ１工程、ｃ２工程、及びｃ３工程をこの順に行う標準試験３で求められる研磨加工性パラメータＦ１が４５以下である仕上げ研磨用組成物。
〔標準試験３〕
（ｃ１）前記仕上げ研磨用組成物を使用して、研磨対象物であるシリコンウェーハと同材質のシリコンウェーハ試験片を研磨する。
（ｃ２）標準研磨用組成物を使用して、研磨対象物であるシリコンウェーハと同材質のシリコンウェーハ試験片を研磨する。
前記標準研磨用組成物は、平均一次粒子径３５ｎｍのコロイダルシリカ０．４６質量％、アンモニア０．００９質量％、重量平均分子量２５万のヒドロキシエチルセルロース０．０１７質量％、ポリエチレンオキシドとポリプロピレンオキシドとからなる共重合体０．００２質量％を含有し、残部は水である。
（ｃ３）ｃ１工程の研磨前後の前記シリコンウェーハ試験片の質量差から、ｃ１工程の研磨の研磨速度Ｒを算出するとともに、ｃ２工程の研磨前後の前記シリコンウェーハ試験片の質量差から、ｃ２工程の研磨の研磨速度βを算出する。そして、下記式に基づいて前記仕上げ研磨用組成物の研磨加工性パラメータＦ１を算出する。
研磨加工性パラメータＦ１＝Ｒ／β×１００
【請求項５】
砥粒と塩基性化合物と水溶性高分子とを含有する請求項４に記載の仕上げ研磨用組成物。
【発明の詳細な説明】
【技術分野】
【０００１】
本発明は、研磨用組成物セット、前研磨用組成物、及びシリコンウェーハの研磨方法に関する。
【背景技術】
【０００２】
シリコンウェーハの表面のヘイズを低減するために、研磨用組成物や研磨方法に関する技術が種々提案されている（例えば特許文献１、２を参照）。しかしながら、近年においては、シリコンウェーハの表面品質に関する要求レベルが益々高くなっているため、これらの技術にはさらなる改良が求められていた。
【先行技術文献】
【特許文献】
【０００３】
【特許文献１】日本国特許公報  第５２０４９６０号
【特許文献２】日本国特許公開公報  ２０１５年第１８５６７２号
【発明の概要】
【発明が解決しようとする課題】
【０００４】
本発明は上記のような従来技術が有する問題点を解決し、ヘイズを低減して高品位な被研磨面を実現可能な研磨用組成物セット、前研磨用組成物、及びシリコンウェーハの研磨方法を提供することを課題とする。
【課題を解決するための手段】
【０００５】
前記課題を解決するため、本発明の一態様に係る研磨用組成物セットは、シリコンウェーハの仕上げ研磨を行う仕上げ研磨工程で使用される仕上げ研磨用組成物と、仕上げ研磨工程の１段階前の研磨工程である前研磨工程で使用される前研磨用組成物と、を備える研磨用組成物セットであって、標準試験１で求められる前研磨用組成物の親水性パラメータＰ１が１００未満で、標準試験２で求められる前研磨用組成物の仕上げ精度パラメータＰ２が１０００以下で、標準試験３で求められる仕上げ研磨用組成物の研磨加工性パラメータＦ１が８０以下であることを要旨とする。【０００６】
また、本発明の他の態様に係る前研磨用組成物は、シリコンウェーハの仕上げ研磨を行う仕上げ研磨工程の１段階前の研磨工程である前研磨工程で使用される前研磨用組成物であって、標準試験１で求められる親水性パラメータＰ１が１００未満で、標準試験２で求められる仕上げ精度パラメータＰ２が１０００以下であることを要旨とする。【０００７】
さらに、本発明の他の態様に係るシリコンウェーハの研磨方法は、シリコンウェーハの仕上げ研磨を行う仕上げ研磨工程と、仕上げ研磨工程の１段階前の研磨工程である前研磨工程と、を備えるシリコンウェーハの研磨方法であって、上記一態様に係る研磨用組成物セットを使用して仕上げ研磨工程及び前研磨工程を行うこと、又は、上記他の態様に係る前研磨用組成物を使用して前研磨工程を行うことを要旨とする。
【発明の効果】
【０００８】
本発明によれば、ヘイズを低減して高品位な被研磨面を実現可能である。
【発明を実施するための形態】
【０００９】
本発明の一実施形態について詳細に説明する。本実施形態の研磨用組成物セットは、シリコンウェーハの仕上げ研磨を行う仕上げ研磨工程で使用される仕上げ研磨用組成物と、仕上げ研磨工程の１段階前の研磨工程である前研磨工程で使用される前研磨用組成物と、を備える。そして、標準試験１で求められる前研磨用組成物の親水性パラメータＰ１が１００未満で、標準試験２で求められる前研磨用組成物の仕上げ精度パラメータＰ２が１０００以下で、標準試験３で求められる仕上げ研磨用組成物の研磨加工性パラメータＦ１が８０以下である。
【００１０】
また、本実施形態の前研磨用組成物は、シリコンウェーハの仕上げ研磨を行う仕上げ研磨工程の１段階前の研磨工程である前研磨工程で使用される研磨用組成物である。そして、標準試験１で求められる親水性パラメータＰ１が１００未満で、標準試験２で求められる仕上げ精度パラメータＰ２が１０００以下である。
【００１１】
このような本実施形態の研磨用組成物セット及び前研磨用組成物は、単体シリコン、シリコン化合物、金属、セラミック等の種々の研磨対象物の研磨に対して好適に使用可能であり、ヘイズが低い高品位な被研磨面を実現可能である。また、微小欠陥の少ない被研磨面も実現可能である。特に、本実施形態の研磨用組成物セット又は前研磨用組成物をシリコンウェーハの研磨に使用すれば、ヘイズが低い高品位な表面を有するシリコン単結晶ウェーハ等のシリコンウェーハを製造することができる。
【００１２】
詳述すると、ヘイズが低い高品位な被研磨面を実現するためには、加工性が低く高精度の被研磨面を作ることができる仕上げ研磨用組成物を用いてシリコンウェーハの仕上げ研磨を行うことが重要である。そのためには、前研磨工程終了後の被研磨面が適度な表面保護性を有し且つ良好な品位（ヘイズが低い）の表面である必要がある。すなわち、前研磨工程終了後の被研磨面が適度な表面保護性を有し且つ良好な品位の表面となるように前研磨を行えば、表面保護性が過度に高くなく且つ既にある程度良好な品位の表面となっているので、仕上げ研磨工程での負荷が軽減され、加工性が低く高精度の被研磨面を作ることができる仕上げ研磨用組成物を用いて仕上げ研磨を行うことができる。これにより、ヘイズが低い高品位な被研磨面が実現可能となる。前研磨工程終了後の被研磨面は、より高品位であることが好ましい。
【００１３】
以上のような理由から、前研磨用組成物には、前研磨工程終了後の被研磨面が適度な親水性を有し且つ良好な品位の表面となるような研磨を行うことができる性能が求められる。前研磨工程終了後の被研磨面の親水性が親水性パラメータＰ１で表現され、この親水性パラメータＰ１は標準試験１で求めることができる。また、前研磨用組成物の研磨性能が仕上げ精度パラメータＰ２で表現され、この仕上げ精度パラメータＰ２は標準試験２で求めることができる。
【００１４】
また、仕上げ研磨用組成物には、被研磨面を高精度に仕上げることが求められるので、その加工性は低く抑えられている。仕上げ研磨用組成物の研磨加工性が研磨加工性パラメータＦ１で表現され、この研磨加工性パラメータＦ１は標準試験３で求めることができる。
親水性パラメータＰ１、仕上げ精度パラメータＰ２、研磨加工性パラメータＦ１を求める標準試験１、２、３については、後に詳述する。
【００１５】
なお、本発明における前研磨工程とは、シリコンウェーハの研磨方法が備える複数の研磨工程のうち仕上げ研磨工程の１段階前の研磨工程を意味する。よって、シリコンウェーハの研磨方法が、例えば予備研磨工程である１次研磨工程、２次研磨工程と仕上げ研磨工程との３つの研磨工程を備える場合には、２次研磨工程が前研磨工程に相当する。また、シリコンウェーハの研磨方法が、例えば予備研磨工程である１次研磨工程と仕上げ研磨工程との２つの研磨工程を備える場合には、１次研磨工程が前研磨工程に相当する。
【００１６】
以下に、本実施形態の前研磨用組成物、仕上げ研磨用組成物、及び研磨用組成物セットについて詳細に説明する。なお、以下に説明する種々の操作や物性の測定は、特に断りがない限り、室温（２０℃以上２５℃以下）、相対湿度４０％以上５０％以下の条件下で行われたものである。
【００１７】
１．前研磨用組成物について
シリコンウェーハの前研磨工程で使用される前研磨用組成物は、標準試験１で求められる親水性パラメータＰ１が１００未満で、標準試験２で求められる仕上げ精度パラメータＰ２が１０００以下である。以下に、標準試験１、２について説明する。
【００１８】
１−１  標準試験１について
親水性パラメータＰ１は、下記のａ１工程、ａ２工程、ａ３工程、及びａ４工程をこの順に行う標準試験１で求められる。
【００１９】
〔標準試験１〕
（ａ１）前研磨用組成物を使用して、研磨対象物であるシリコンウェーハと同材質のシリコン試験片を研磨する。シリコン試験片には、円形のウェーハを用いてもよいし、四角形に切断したチップを用いてもよい。このシリコン試験片の研磨には、例えば、日本エンギス株式会社製の卓上研磨機ＥＪ−３８０ＩＮ、フジボウ株式会社製の研磨パッドＰＯＬＹＰＡＳ２７ＮＸを使用することができる。また、シリコン試験片の研磨の研磨条件は、例えば、研磨荷重１６ｋＰａ、定盤回転速度３０ｒｐｍ、キャリア回転速度３０ｒｐｍ、研磨時間２ｍｉｎ、前研磨用組成物の供給速度３０ｍＬ／ｍｉｎ、前研磨用組成物の温度２０℃とすることができる。
【００２０】
（ａ２）シリコン試験片の研磨された表面を純水で洗浄して、前研磨用組成物を洗い流す。
（ａ３）純水洗浄したシリコン試験片を、該シリコン試験片が円形の場合は直径が鉛直方向に沿うような姿勢で、また、該シリコン試験片が四角形の場合は一方の対角線が鉛直方向に沿うような姿勢で３０秒間静置し、直径又は対角線のうちシリコン試験片の表面が純水で濡れていない領域の長さを測定し、その長さを撥水距離とする。
【００２１】
（ａ４）測定した撥水距離から、下記式に基づいて前研磨用組成物の親水性パラメータＰ１を算出する。
親水性パラメータＰ１＝｛（シリコン試験片の直径又は対角線の長さ［ｍｍ］）−（撥水距離［ｍｍ］）｝／（シリコン試験片の直径又は対角線の長さ［ｍｍ］）×１００
【００２２】
１−２  標準試験２について
仕上げ精度パラメータＰ２は、下記のｂ１工程、ｂ２工程、及びｂ３工程をこの順に行う標準試験２で求められる。
【００２３】
〔標準試験２〕
（ｂ１）前研磨用組成物を使用して、研磨対象物であるシリコンウェーハと同材質のシリコンウェーハ試験片（すなわちパラメータ測定用シリコンウェーハ）を研磨する。このシリコンウェーハ試験片の研磨には、例えば、株式会社岡本工作機械製作所製の研磨機ＰＮＸ−３３２Ｂ、フジボウ株式会社製の研磨パッドＰＯＬＹＰＡＳ２７ＮＸを使用することができる。また、シリコンウェーハ試験片の研磨の研磨条件は、例えば、研磨荷重１５ｋＰａ、定盤回転速度３０ｒｐｍ、キャリア回転速度３０ｒｐｍ、研磨時間２ｍｉｎ、前研磨用組成物の供給速度２Ｌ／ｍｉｎ、前研磨用組成物の温度２０℃、定盤冷却水の温度２０℃とすることができる。
【００２４】
（ｂ２）標準研磨用組成物を使用して、研磨対象物であるシリコンウェーハと同材質のシリコンウェーハ試験片を研磨する。このシリコンウェーハ試験片の研磨には、例えば、株式会社岡本工作機械製作所製の研磨機ＰＮＸ−３３２Ｂ、フジボウ株式会社製の研磨パッドＰＯＬＹＰＡＳ２７ＮＸを使用することができる。また、シリコンウェーハ試験片の研磨の研磨条件は、例えば、研磨荷重１５ｋＰａ、定盤回転速度３０ｒｐｍ、キャリア回転速度３０ｒｐｍ、研磨時間２ｍｉｎ、標準研磨用組成物の供給速度２Ｌ／ｍｉｎ、標準研磨用組成物の温度２０℃、定盤冷却水の温度２０℃とすることができる。
【００２５】
標準研磨用組成物は、平均一次粒子径３５ｎｍのコロイダルシリカ０．４６質量％、アンモニア０．００９質量％、重量平均分子量２５万のヒドロキシエチルセルロース０．０１７質量％、ポリエチレンオキシドとポリプロピレンオキシドとからなる共重合体０．００２質量％を含有し、残部は水である。
【００２６】
（ｂ３）ｂ１工程で研磨したシリコンウェーハ試験片のヘイズｈ２と、ｂ２工程で研磨したシリコンウェーハ試験片のヘイズαとを測定し、下記式に基づいて前研磨用組成物の仕上げ精度パラメータＰ２を算出する。
仕上げ精度パラメータＰ２＝ｈ２／α×１００
【００２７】
２．仕上げ研磨用組成物について
シリコンウェーハの仕上げ研磨工程で使用される仕上げ研磨用組成物は、標準試験３で求められる研磨加工性パラメータＦ１が８０以下である。研磨加工性パラメータＦ１は、下記のｃ１工程、ｃ２工程、及びｃ３工程をこの順に行う標準試験３で求められる。
【００２８】
〔標準試験３〕
（ｃ１）仕上げ研磨用組成物を使用して、研磨対象物であるシリコンウェーハと同材質のシリコンウェーハ試験片を研磨する。このシリコンウェーハ試験片の研磨には、例えば、株式会社岡本工作機械製作所製の研磨機ＰＮＸ−３２２、フジボウ株式会社製の研磨パッドＰＯＬＹＰＡＳ２７ＮＸを使用することができる。また、このシリコンウェーハ試験片の研磨の研磨条件は、例えば、研磨荷重１５ｋＰａ、定盤回転速度３０ｒｐｍ、キャリア回転速度３０ｒｐｍ、研磨時間１５ｍｉｎ、仕上げ研磨用組成物の供給速度０．４Ｌ／ｍｉｎ、仕上げ研磨用組成物の温度２０℃、定盤冷却水の温度２０℃とすることができる。
【００２９】
（ｃ２）標準試験２の標準研磨用組成物を使用して、研磨対象物であるシリコンウェーハと同材質のシリコンウェーハ試験片を研磨する。このシリコンウェーハ試験片の研磨には、例えば、株式会社岡本工作機械製作所製の研磨機ＰＮＸ−３２２、フジボウ株式会社製の研磨パッドＰＯＬＹＰＡＳ２７ＮＸを使用することができる。また、このシリコンウェーハ試験片の研磨の研磨条件は、例えば、研磨荷重１５ｋＰａ、定盤回転速度３０ｒｐｍ、キャリア回転速度３０ｒｐｍ、研磨時間１５ｍｉｎ、標準研磨用組成物の供給速度０．４Ｌ／ｍｉｎ、標準研磨用組成物の温度２０℃、定盤冷却水の温度２０℃とすることができる。
【００３０】
（ｃ３）ｃ１工程の研磨前後のシリコンウェーハ試験片の質量差から、ｃ１工程の研磨の研磨速度Ｒを算出するとともに、ｃ２工程の研磨前後のシリコンウェーハ試験片の質量差から、ｃ２工程の研磨の研磨速度βを算出する。そして、下記式に基づいて仕上げ研磨用組成物の研磨加工性パラメータＦ１を算出する。
研磨加工性パラメータＦ１＝Ｒ／β×１００
【００３１】
３．研磨用組成物セットについて
本実施形態の研磨用組成物セットは、前研磨用組成物と仕上げ研磨用組成物を備えているので、２つ以上の研磨工程を備えるシリコンウェーハの研磨方法に使用することができる。例えば、予備研磨工程である１次研磨工程と仕上げ研磨工程との２つの研磨工程を備えるシリコンウェーハの研磨方法に使用することもできるし、予備研磨工程である１次研磨工程、２次研磨工程と仕上げ研磨工程との３つの研磨工程を備えるシリコンウェーハの研磨方法に使用することもできる。
【００３２】
３つ以上の研磨工程を備えるシリコンウェーハの研磨方法に本実施形態の研磨用組成物セットを使用する場合には、仕上げ研磨工程には本実施形態の仕上げ研磨用組成物を、仕上げ研磨工程の１段階前の研磨工程である前研磨工程には本実施形態の前研磨用組成物を使用し、それ以外の各研磨工程には、その研磨工程に好適な研磨用組成物をそれぞれ適宜選択して使用すればよい。
【００３３】
次に、本実施形態の仕上げ研磨用組成物及び前研磨用組成物を構成する成分について説明する。本実施形態の仕上げ研磨用組成物及び前研磨用組成物はいずれも、砥粒、塩基性化合物、水溶性高分子、及び水を含有する組成物である。所望により、各種添加剤を含有していてもよい。
【００３４】
４．砥粒について
砥粒は、シリコンウェーハの表面を物理的に研磨する働きをする。砥粒の種類は特に限定されるものではないが、シリカ粒子、アルミナ粒子、酸化セリウム粒子、酸化クロム粒子、二酸化チタン粒子、酸化ジルコニウム粒子、酸化マグネシウム粒子、二酸化マンガン粒子、酸化亜鉛粒子、ベンガラ粒子等の酸化物粒子や、窒化ケイ素粒子、窒化ホウ素粒子等の窒化物粒子や、炭化ケイ素粒子、炭化ホウ素粒子等の炭化物粒子や、炭酸カルシウム、炭酸バリウム等の炭酸塩や、ダイヤモンド粒子等が挙げられる。
【００３５】
これらの具体例の中でもシリカが好ましい。シリカの具体例としては、コロイダルシリカ、フュームドシリカ、及びゾルゲル法シリカから選ばれるシリカ粒子が挙げられる。これらシリカ粒子の中でも、シリコンウェーハの被研磨面に生じるスクラッチを減少させるという観点において、コロイダルシリカ及びフュームドシリカから選ばれるシリカ粒子、特にコロイダルシリカを用いることが好ましい。砥粒は、これらのうち一種を単独で用いてもよいし、二種以上を組み合わせて用いてもよい。
【００３６】
前研磨用組成物に用いる砥粒の平均一次粒子径は５ｎｍ以上であることが好ましく、より好ましくは１０ｎｍ以上、さらに好ましくは１５ｎｍ以上、特に好ましくは２０ｎｍ以上である。砥粒の平均一次粒子径の増大によって、シリコンウェーハの研磨速度が向上する。また、前研磨用組成物に用いる砥粒の平均一次粒子径は１００ｎｍ以下であることが好ましく、より好ましくは６０ｎｍ以下、さらに好ましくは５０ｎｍ以下である。砥粒の平均一次粒子径の低減によって、被研磨面の平滑性が向上する。
【００３７】
仕上げ研磨用組成物に用いる砥粒の平均一次粒子径は５ｎｍ以上であることが好ましく、より好ましくは１０ｎｍ以上である。砥粒の平均一次粒子径の増大によって、シリコンウェーハの研磨速度が向上する。また、仕上げ研磨用組成物に用いる砥粒の平均一次粒子径は１００ｎｍ以下であることが好ましく、より好ましくは６０ｎｍ以下、さらに好ましくは５０ｎｍ以下、特に好ましくは４０ｎｍ以下である。砥粒の平均一次粒子径の低減によって、被研磨面の平滑性が向上する。
【００３８】
なお、前研磨用組成物や仕上げ研磨用組成物に用いる砥粒の平均一次粒子径の値は、ＢＥＴ法で測定される砥粒の比表面積に基づいて計算することができる。砥粒の比表面積は、例えばマイクロメリテックス社製の型式「ＦｌｏｗＳｏｒｂＩＩ  ２３００」を用いて測定することができる。
【００３９】
前研磨用組成物に用いる砥粒の平均二次粒子径は１０ｎｍ以上であることが好ましく、より好ましくは２０ｎｍ以上、さらに好ましくは３０ｎｍ以上、特に好ましくは４０ｎｍ以上である。砥粒の平均二次粒子径の増大によって、シリコンウェーハの研磨速度が向上する。また、前研磨用組成物に用いる砥粒の平均二次粒子径は１５０ｎｍ以下であることが好ましく、より好ましくは１００ｎｍ以下、さらに好ましくは８０ｎｍ以下、特に好ましくは７０ｎｍ以下である。砥粒の平均二次粒子径の低減によって、被研磨面の平滑性が向上する。
【００４０】
仕上げ研磨用組成物に用いる砥粒の平均二次粒子径は１０ｎｍ以上であることが好ましく、より好ましくは２０ｎｍ以上である。砥粒の平均二次粒子径の増大によって、シリコンウェーハの研磨速度が向上する。また、仕上げ研磨用組成物に用いる砥粒の平均二次粒子径は１００ｎｍ以下であることが好ましく、より好ましくは８０ｎｍ以下、さらに好ましくは７０ｎｍ以下、特に好ましくは６０ｎｍ以下である。砥粒の平均二次粒子径の低減によって、被研磨面の平滑性が向上する。
なお、前研磨用組成物や仕上げ研磨用組成物に用いる砥粒の平均二次粒子径の値は、例えば日機装株式会社製のＵＰＡ−ＵＴ１５１を用いた動的光散乱法により測定することができる。
【００４１】
前研磨用組成物中の砥粒の含有量は０．０１質量％以上であることが好ましく、より好ましくは０．０５質量％以上、さらに好ましくは０．１０質量％以上である。砥粒の含有量が上記の範囲内にある場合、シリコンウェーハの研磨速度が優れている。
前研磨用組成物中の砥粒の含有量は３質量％以下であることが好ましく、より好ましくは１質量％以下であり、さらに好ましくは０．５質量％以下である。砥粒の含有量が上記の範囲内にある場合、前研磨用組成物の分散安定性が向上する。
【００４２】
仕上げ研磨用組成物中の砥粒の含有量は０．０１質量％以上であることが好ましく、より好ましくは０．０５質量％以上、さらに好ましくは０．１０質量％以上である。砥粒の含有量が上記の範囲内にある場合、シリコンウェーハの研磨速度が優れている。
仕上げ研磨用組成物中の砥粒の含有量は３質量％以下であることが好ましく、より好ましくは１質量％以下であり、さらに好ましくは０．５質量％以下であり、特に好ましくは０．３質量％以下である。砥粒の含有量が上記の範囲内にある場合、仕上げ研磨用組成物の分散安定性が向上する。
【００４３】
５．塩基性化合物について
仕上げ研磨用組成物及び前研磨用組成物は、塩基性化合物を含有する。塩基性化合物は、シリコンウェーハの被研磨面に対して、化学的な作用を与えて化学的に研磨する（ケミカルエッチング）。これにより、シリコンウェーハを研磨する際の研磨速度を向上させることが容易となる。
【００４４】
塩基性化合物の具体例としては、無機の塩基性化合物、アルカリ金属又はアルカリ土類金属の水酸化物又は塩、水酸化第四級アンモニウム又はその塩、アンモニア、アミン等が挙げられる。アルカリ金属の具体例としては、カリウム、ナトリウム等が挙げられる。塩の具体例としては、炭酸塩、炭酸水素塩、硫酸塩、酢酸塩等が挙げられる。第四級アンモニウムの具体例としては、テトラメチルアンモニウム、テトラエチルアンモニウム、テトラブチルアンモニウム等が挙げられる。アルカリ金属の水酸化物又は塩の具体例としては、水酸化カリウム、炭酸カリウム、炭酸水素カリウム、硫酸カリウム、酢酸カリウム、塩化カリウム等が挙げられる。
【００４５】
水酸化第四級アンモニウム又はその塩の具体例としては、水酸化テトラメチルアンモニウム、水酸化テトラエチルアンモニウム、水酸化テトラブチルアンモニウム等が挙げられる。アミンの具体例としては、メチルアミン、ジメチルアミン、トリメチルアミン、エチルアミン、ジエチルアミン、トリエチルアミン、エチレンジアミン、モノエタノールアミン、Ｎ−（β−アミノエチル）エタノールアミン、ヘキサメチレンジアミン、ジエチレントリアミン、トリエチレンテトラミン、無水ピペラジン、ピペラジン六水和物、１−（２−アミノエチル）ピペラジン、Ｎ−メチルピペラジン、グアニジン、イミダゾールやトリアゾール等のアゾール類等が挙げられる。これらの塩基性化合物は、一種を単独で用いてもよいし、二種以上を組み合わせて用いてもよい。
【００４６】
塩基性化合物の中でも、アンモニア、アンモニウム塩、アルカリ金属水酸化物、アルカリ金属塩、及び第四級アンモニウム水酸化物から選ばれる少なくとも一種が好ましい。塩基性化合物の中でも、アンモニア、水酸化カリウム、水酸化ナトリウム、水酸化テトラメチルアンモニウム、水酸化テトラエチルアンモニウム、炭酸水素アンモニウム、炭酸アンモニウム、炭酸水素カリウム、炭酸カリウム、炭酸水素ナトリウム、及び炭酸ナトリウムから選ばれる少なくとも一種がより好ましい。塩基性化合物の中でも、アンモニア、水酸化カリウム、水酸化ナトリウム、水酸化テトラメチルアンモニウム、及び水酸化テトラエチルアンモニウムから選ばれる少なくとも一種がさらに好ましく、より一層好ましくはアンモニア及び水酸化テトラメチルアンモニウムの少なくとも一方であり、最も好ましくはアンモニアである。
【００４７】
前研磨用組成物中の塩基性化合物の含有量は、好ましくは０．０００１質量％以上であり、より好ましくは０．００１質量％以上であり、さらに好ましくは０．００５質量％以上であり、特に好ましくは０．０１質量％以上である。前研磨用組成物中における塩基性化合物の含有量の増大によって、シリコンウェーハの研磨速度が向上する傾向となる。
【００４８】
前研磨用組成物中の塩基性化合物の含有量は、好ましくは０．５質量％以下であり、より好ましくは０．１質量％以下であり、さらに好ましくは０．０５質量％以下である。前研磨用組成物中における塩基性化合物の含有量の減少によって、研磨後のシリコンウェーハの表面の平滑性が向上する傾向となる。
【００４９】
仕上げ研磨用組成物中の塩基性化合物の含有量は、好ましくは０．０００１質量％以上であり、より好ましくは０．０００５質量％以上であり、さらに好ましくは０．００１質量％以上である。仕上げ研磨用組成物中における塩基性化合物の含有量の増大によって、シリコンウェーハの研磨速度が向上する傾向となる。
【００５０】
仕上げ研磨用組成物中の塩基性化合物の含有量は、好ましくは０．５質量％以下であり、より好ましくは０．１質量％以下であり、さらに好ましくは０．０５質量％以下であり、特に好ましくは０．０２質量％以下である。仕上げ研磨用組成物中における塩基性化合物の含有量の減少によって、研磨後のシリコンウェーハの表面の平滑性が向上する傾向となる。
【００５１】
６．水溶性高分子について
水溶性高分子は、研磨時やリンス処理時等のシリコンウェーハの表面処理時において、シリコンウェーハの被研磨面の濡れ性を高める。仕上げ研磨用組成物及び前研磨用組成物は、水溶性高分子として、仕上げ研磨用組成物及び前研磨用組成物の調製時に固体又は固形の状態で水に投入される固体原料の水溶性高分子を含有する。
【００５２】
固体原料とは、水に溶解する前の原料の状態において、温度２３℃、相対湿度５０％、及び１気圧の環境下にて目視で固体又は固形の状態のものを意味する。また、水溶性高分子は、水、又は水とアルコール、ケトン等の水系有機溶剤との混合溶剤中において単量体から合成されるものもあるが、その溶液状態のままの水系液形態のもの、あるいは、揮発性溶剤を留去した水溶液形態のものも含む。なお、これ以下では「固体原料の水溶性高分子」、「水系形態の水溶性高分子」、「水溶液形態の水溶性高分子」を、単に「水溶性高分子」と記す。
【００５３】
水溶性高分子としては、分子中に、カチオン基、アニオン基、及びノニオン基から選ばれる少なくとも一種の官能基を有するもの、具体的には、分子中に水酸基、カルボキシ基、アシルオキシ基、スルホ基、アミド基、アミジノ基、イミノ基、イミド基、第四級窒素構造、前記官能基単位を含む複素環構造、ビニル構造、ポリオキシアルキレン構造等を含むもののいずれも使用することができる。
【００５４】
具体例としては、セルロース誘導体、ポリビニルアルコール、ポリ（メタ）アクリル酸、ポリ（メタ）アクリルアミドアルキルスルホン酸、ポリイソプレンスルホン酸、ポリビニルスルホン酸、ポリアリルスルホン酸、ポリイソアミレンスルホン酸、ポリスチレンスルホン酸塩、ポリ（メタ）アクリルアミド、ポリアルキルアミノアルキル（メタ）アクリルアミド、ポリビニルピロリドン、ポリビニルピロリドンを構造の一部に含む共重合体、ポリビニルカプロラクタム、ポリビニルカプロラクタムを構造の一部に含む共重合体、ポリアルコキシアルキル（メタ）アクリルアミド、ポリヒドロキシアルキル（メタ）アクリルアミド、ポリ（メタ）アクリルロイルモルホリン、ポリアミジン、ポリエチレンイミン、親水化ポリイミド、各種ポリアミノ酸、ポリ（Ｎ−アシルアルキレンイミン）等のイミン誘導体、ポリビニルアルコールの水酸基部分の一部を第四級窒素構造に置換したポリビニルアルコール誘導体、ポリオキシエチレン、ポリオキシアルキレン構造を有する重合体、これらのジブロック型やトリブロック型、ランダム型、交互型といった複数種の構造を有する重合体等が挙げられる。なお、ポリ（メタ）アクリル酸の表記は、アクリル酸及び／又はメタクリル酸を意味し、他の化合物についても同様である。
【００５５】
水溶性高分子の中でも、シリコンウェーハの被研磨面の濡れ性の向上、パーティクルの付着の抑制、及び表面粗さの低減等の観点から、セルロース誘導体、ポリビニルアルコール、ポリビニルピロリドン、ポリヒドロキシアルキル（メタ）アクリルアミド、ポリ（メタ）アクリルロイルモルホリン、又はポリオキシアルキレン構造を有する重合体が好適である。セルロース誘導体の具体例としては、ヒドロキシエチルセルロース、ヒドロキシプロピルセルロース、ヒドロキシエチルメチルセルロース、ヒドロキシプロピルメチルセルロース、メチルセルロース、エチルセルロース、エチルヒドロキシエチルセルロース、カルボキシメチルセルロース等が挙げられる。
【００５６】
セルロース誘導体の中でも、シリコンウェーハの被研磨面に濡れ性を与える能力が高く、良好な洗浄性を有する点から、ヒドロキシエチルセルロースが特に好ましい。また、水溶性高分子は、一種を単独で用いてもよいし、二種以上を組み合わせて用いてもよい。
【００５７】
前研磨用組成物に用いる水溶性高分子の重量平均分子量は、好ましくは１００００以上であり、より好ましくは２００００以上であり、さらに好ましくは３００００以上である。水溶性高分子の重量平均分子量の増大によって、シリコンウェーハの研磨速度が向上する傾向となる。
【００５８】
前研磨用組成物に用いる水溶性高分子の重量平均分子量は、好ましくは２００万以下であり、より好ましくは１５０万以下であり、さらに好ましくは１２０万以下であり、より一層好ましくは１００万以下であり、特に好ましくは７０万以下である。水溶性高分子の重量平均分子量の減少によって、前研磨用組成物の安定性がより保たれる傾向となる。また、シリコンウェーハの被研磨面のヘイズレベルが低減する傾向となる。
【００５９】
仕上げ研磨用組成物に用いる水溶性高分子の重量平均分子量は、好ましくは１００００以上であり、より好ましくは２００００以上であり、さらに好ましくは３００００以上である。水溶性高分子の重量平均分子量の増大によって、シリコンウェーハの研磨速度が向上する傾向となる。
【００６０】
仕上げ研磨用組成物に用いる水溶性高分子の重量平均分子量は、好ましくは２００万以下であり、より好ましくは１５０万以下であり、さらに好ましくは１２０万以下であり、より一層好ましくは１００万以下であり、さらに一層好ましくは８０万以下であり、特に好ましくは６０万以下であり、最も好ましくは３０万以下である。水溶性高分子の重量平均分子量の減少によって、仕上げ研磨用組成物の安定性がより保たれる傾向となる。また、シリコンウェーハの被研磨面のヘイズレベルが低減する傾向となる。
【００６１】
前研磨用組成物中の水溶性高分子の含有量は、好ましくは０．０００１質量％以上であり、より好ましくは０．０００５質量％以上であり、さらに好ましくは０．００１質量％以上である。前研磨用組成物中の水溶性高分子の含有量の増大によって、シリコンウェーハの被研磨面の濡れ性がより向上する傾向となる。
【００６２】
前研磨用組成物中の水溶性高分子の含有量は、好ましくは０．５質量％以下であり、より好ましくは０．１質量％以下であり、さらに好ましくは０．０５質量％以下であり、より一層好ましくは０．０１質量％以下であり、特に好ましくは０．００５質量％以下である。前研磨用組成物中の水溶性高分子の含有量の減少によって、前研磨用組成物の安定性がより保たれる傾向となる。
【００６３】
仕上げ研磨用組成物中の水溶性高分子の含有量は、好ましくは０．０００１質量％以上であり、より好ましくは０．０００５質量％以上であり、さらに好ましくは０．００１質量％以上であり、特に好ましくは０．００５質量％以上である。仕上げ研磨用組成物中の水溶性高分子の含有量の増大によって、シリコンウェーハの被研磨面の濡れ性がより向上する傾向となる。
【００６４】
仕上げ研磨用組成物中の水溶性高分子の含有量は、好ましくは０．５質量％以下であり、より好ましくは０．１質量％以下であり、さらに好ましくは０．０５質量％以下であり、より一層好ましくは０．０１質量％以下である。仕上げ研磨用組成物中の水溶性高分子の含有量の減少によって、仕上げ研磨用組成物の安定性がより保たれる傾向となる。
【００６５】
仕上げ研磨用組成物及び前研磨用組成物中の砥粒、水溶性高分子、及び塩基性化合物の含有量の質量比は、５０〜９９：０．５〜２０：０．５〜３０としてもよい。含有量の質量比をこの範囲にすることによって、仕上げ研磨用組成物及び前研磨用組成物の分散安定性が向上し、且つ洗浄後のシリコンウェーハの清浄性が向上する。
【００６６】
７．仕上げ研磨用組成物及び前研磨用組成物のｐＨについて
前研磨用組成物のｐＨは特に限定されるものではないが、好ましくは９．０以上であり、より好ましくは９．５以上であり、さらに好ましくは１０．０以上である。ｐＨの上昇によって、シリコンウェーハの研磨速度が向上する傾向となる。
前研磨用組成物のｐＨは、好ましくは１１．５以下であり、より好ましくは１１．０以下であり、さらに好ましくは１０．８以下である。ｐＨの低下によって、シリコンウェーハの面精度が向上する傾向となる。
【００６７】
仕上げ研磨用組成物のｐＨは特に限定されるものではないが、好ましくは９．０以上であり、より好ましくは９．５以上であり、さらに好ましくは９．８以上である。ｐＨの上昇によって、シリコンウェーハの研磨速度が向上する傾向となる。
仕上げ研磨用組成物のｐＨは、好ましくは１１．５以下であり、より好ましくは１１．０以下であり、さらに好ましくは１０．５以下である。ｐＨの低下によって、シリコンウェーハの面精度が向上する傾向となる。仕上げ研磨用組成物及び前研磨用組成物のｐＨは、例えば後述するｐＨ調整剤を添加することにより調整することができる。
【００６８】
８．水について
水は、砥粒、塩基性化合物、水溶性高分子等の他の成分の分散媒又は溶媒となる。水は、仕上げ研磨用組成物及び前研磨用組成物に含有される他の成分の働きが阻害されることを極力回避するため、例えば遷移金属イオンの合計の含有量が１００ｐｐｂ以下とされることが好ましい。例えば、イオン交換樹脂を用いる不純物イオンの除去、フィルターによる粒子の除去、蒸留等の操作によって、水の純度を高めることができる。具体的には、イオン交換水、純水、超純水、蒸留水等を用いることが好ましい。
【００６９】
９．添加剤について
本実施形態の仕上げ研磨用組成物及び前研磨用組成物には、その性能を向上させるために、必要に応じてｐＨ調整剤、界面活性剤、キレート剤、防黴剤等の各種添加剤を添加してもよい。ただし、酸化剤は実質的に含有しないことが好ましい。
【００７０】
９−１  ｐＨ調整剤について
本実施形態の仕上げ研磨用組成物及び前研磨用組成物のｐＨの値は、ｐＨ調整剤の添加により調整することができる。仕上げ研磨用組成物及び前研磨用組成物のｐＨの調整により、研磨対象物の研磨速度や砥粒の分散性等を制御することができる。ｐＨ調整剤の添加量は特に限定されるものではなく、仕上げ研磨用組成物及び前研磨用組成物が所望のｐＨとなるように適宜調整すればよい。
【００７１】
ｐＨ調整剤の具体例としては、無機酸や、カルボン酸、有機硫酸等の有機酸があげられる。無機酸の具体例としては、塩酸、硫酸、硝酸、フッ酸、ホウ酸、炭酸、次亜リン酸、亜リン酸、リン酸等があげられる。また、カルボン酸の具体例としては、ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸、乳酸、ジグリコール酸、２−フランカルボン酸、２，５−フランジカルボン酸、３−フランカルボン酸、２−テトラヒドロフランカルボン酸、メトキシ酢酸、メトキシフェニル酢酸、フェノキシ酢酸等があげられる。さらに、有機硫酸の具体例としては、メタンスルホン酸、エタンスルホン酸、イセチオン酸等があげられる。これらの酸は、１種を単独で用いてもよいし、２種以上を組み合わせて用いてもよい。
【００７２】
９−２  界面活性剤について
本実施形態の仕上げ研磨用組成物及び前研磨用組成物には、界面活性剤を添加してもよい。界面活性剤の例としては、アニオン性又はノニオン性の界面活性剤があげられ、その中でもノニオン性界面活性剤が好適である。
【００７３】
例えば、ポリエチレングリコール、ポリプロピレングリコール、ポリテトラメチレングリコール等のオキシアルキレン重合体や、ポリオキシエチレンアルキルエーテル、ポリオキシエチレンアルキルフェニルエーテル、ポリオキシエチレンアルキルアミン、ポリオキシエチレン脂肪酸エステル、ポリオキシエチレングリセリルエーテル脂肪酸エステル、ポリオキシエチレンソルビタン脂肪酸エステル等のポリオキシアルキレン付加物や、複数種のオキシアルキレンの共重合体（ジブロック型、トリブロック型、ランダム型、交互型）等のノニオン性の界面活性剤が挙げられる。
【００７４】
ノニオン性界面活性剤の具体例としては、オキシエチレン（ＥＯ）とオキシプロピレン（ＰＯ）とのブロック共重合体（ジブロック体、ＰＥＯ−ＰＰＯ−ＰＥＯ型トリブロック体、ＰＰＯ−ＰＥＯ−ＰＰＯ型トリブロック体等）、ＥＯとＰＯとのランダム共重合体、ポリオキシエチレングリコール、ポリオキシエチレンプロピルエーテル、ポリオキシエチレンブチルエーテル、ポリオキシエチレンペンチルエーテル、ポリオキシエチレンヘキシルエーテル、ポリオキシエチレンオクチルエーテル、ポリオキシエチレン−２−エチルヘキシルエーテル、ポリオキシエチレンノニルエーテル、ポリオキシエチレンデシルエーテル、ポリオキシエチレンイソデシルエーテル、ポリオキシエチレントリデシルエーテル、ポリオキシエチレンラウリルエーテル、ポリオキシエチレンセチルエーテル、ポリオキシエチレンステアリルエーテル、ポリオキシエチレンイソステアリルエーテル、ポリオキシエチレンオレイルエーテル、ポリオキシエチレンフェニルエーテル、ポリオキシエチレンオクチルフェニルエーテル、ポリオキシエチレンノニルフェニルエーテル、ポリオキシエチレンドデシルフェニルエーテル、ポリオキシエチレンスチレン化フェニルエーテル、ポリオキシエチレンラウリルアミン、ポリオキシエチレンステアリルアミン、ポリオキシエチレンオレイルアミン、ポリオキシエチレンステアリルアミド、ポリオキシエチレンオレイルアミド、ポリオキシエチレンモノラウリン酸エステル、ポリオキシエチレンモノステアリン酸エステル、ポリオキシエチレンジステアリン酸エステル、ポリオキシエチレンモノオレイン酸エステル、ポリオキシエチレンジオレイン酸エステル、モノラウリン酸ポリオキシエチレンソルビタン、モノパルチミン酸ポリオキシエチレンソルビタン、モノステアリン酸ポリオキシエチレンソルビタン、モノオレイン酸ポリオキシエチレンソルビタン、トリオレイン酸ポリオキシエチレンソルビタン、テトラオレイン酸ポリオキシエチレンソルビット、ポリオキシエチレンヒマシ油、ポリオキシエチレン硬化ヒマシ油等が挙げられる。これらの中でも好ましい界面活性剤として、ＥＯとＰＯとのブロック共重合体（特に、ＰＥＯ−ＰＰＯ−ＰＥＯ型のトリブロック体）、ＥＯとＰＯとのランダム共重合体、及びポリオキシエチレンアルキルエーテル（例えばポリオキシエチレンデシルエーテル）が挙げられる。
【００７５】
また、アニオン性界面活性剤としては、例えば、ポリオキシエチレンアルキルエーテルの硫酸エステル及びその塩、スルホン酸及びその塩、カルボン酸及びその塩、並びにリン酸エステル及びその塩が挙げられる。
【００７６】
アニオン性界面活性剤の具体例としては、ポリオキシエチレンラウリルエーテル硫酸、ポリオキシエチレンミリスチルエーテル硫酸、ポリオキシエチレンパルミチルエーテル硫酸；ポリオキシエチレンラウリルエーテル硫酸ナトリウム、ポリオキシエチレンラウリルエーテル硫酸アンモニウム、ポリオキシエチレンラウリルエーテル硫酸トリエタノールアミン、ポリオキシエチレンミリスチルエーテル硫酸ナトリウム、ポリオキシエチレンミリスチルエーテル硫酸アンモニウム、ポリオキシエチレンミリスチルエーテル硫酸トリエタノールアミン、ポリオキシエチレンパルミチルエーテル硫酸ナトリウム、ポリオキシエチレンパルミチルエーテル硫酸アミン、ポリオキシエチレンパルミチルエーテル硫酸トリエタノールアミン、ポリオキシエチレンオクチルスルホン酸、ポリオキシエチレンドデシルスルホン酸、ポリオキシエチレンセチルスルホン酸、ポリオキシエチレンオクチルベンゼンスルホン酸、ポリオキシエチレンドデシルベンゼンスルホン酸；ポリオキシエチレンオクチルスルホン酸ナトリウム、ポリオキシエチレンドデシルスルホン酸ナトリウム、ポリオキシエチレンセチルスルホン酸ナトリウム、ポリオキシエチレンラウリルエーテル酢酸、ポリオキシエチレントリデシルエーテル酢酸、ポリオキシエチレンオクチルエーテル酢酸；ポリオキシエチレンラウリルエーテル酢酸ナトリウム、ポリオキシエチレンラウリルエーテル酢酸アンモニウム、ポリオキシエチレントリデシルエーテル酢酸ナトリウム、ポリオキシエチレントリデシルエーテル酢酸アンモニウム、ポリオキシエチレンオクチルエーテル酢酸ナトリウム、ポリオキシエチレンオクチルエーテル酢酸アンモニウム、ポリオキシエチレンラウリルエーテルリン酸、ポリオキシエチレンアルキル（１２−１５）エーテルリン酸；ポリオキシエチレンラウリルエーテルリン酸ナトリウム、ポリオキシエチレンオレイルエーテルリン酸ナトリウム、ポリオキシエチレンセチルエーテルリン酸ナトリウム、ポリオキシエチレンアルキル（１２−１５）エーテルリン酸カリウム、ポリオキシエチレンラウリルスルホコハク酸二ナトリウム塩、スルホコハク酸ポリオキシエチレンラウロイルエタノールアミド二ナトリウム塩等が挙げられる。
【００７７】
界面活性剤の重量平均分子量は、好ましくは２００以上であり、より好ましくは２５０以上であり、さらに好ましくは３００以上である。界面活性剤の重量平均分子量の増大によって、シリコンウェーハの研磨速度が向上する。
界面活性剤の重量平均分子量は、好ましくは１００００未満であり、より好ましくは９５００以下である。界面活性剤の重量平均分子量の減少によって、被研磨面の平滑性が向上する。
【００７８】
９−３  キレート剤について
本実施形態の仕上げ研磨用組成物及び前研磨用組成物には、キレート剤を添加してもよい。キレート剤は、研磨系中の金属不純物成分を捕捉して錯体を形成することによって、シリコン基板の金属汚染（特にニッケル、銅による汚染）を抑制する。
【００７９】
キレート剤の具体例としては、グルコン酸等のカルボン酸系キレート剤、エチレンジアミン、ジエチレントリアミン、トリメチルテトラアミン等のアミン系キレート剤、エチレンジアミン四酢酸、ニトリロ三酢酸、ヒドロキシエチルエチレンジアミン三酢酸、トリエチレンテトラミン六酢酸、ジエチレントリアミン五酢酸等のポリアミノポリカルボン酸系キレート剤、２−アミノエチルホスホン酸、１−ヒドロキシエチリデン−１，１−ジホスホン酸、アミノトリ（メチレンホスホン酸）、エチレンジアミンテトラキス（メチレンホスホン酸）、ジエチレントリアミンペンタ（メチレンホスホン酸）、エタン−１，１−ジホスホン酸、エタン−１，１，２−トリホスホン酸、メタンヒドロキシホスホン酸、１−ホスホノブタン−２，３，４−トリカルボン酸等の有機ホスホン酸系キレート剤、フェノール誘導体、１，３−ジケトン等があげられる。これらのキレート剤の中でも、有機ホスホン酸系キレート剤、特にエチレンジアミンテトラキス（メチレンホスホン酸）が好ましい。これらのキレート剤は、１種を単独で用いてもよいし、２種以上を組み合わせて用いてもよい。
【００８０】
９−４  防黴剤について
本実施形態の仕上げ研磨用組成物及び前研磨用組成物には、防黴剤を添加してもよい。防黴剤の具体例としては、オキサゾリジン−２，５−ジオン等のオキサゾリン等があげられる。
【００８１】
９−５  酸化剤について
本実施形態の仕上げ研磨用組成物及び前研磨用組成物は、酸化剤を実質的に含まないことが好ましい。仕上げ研磨用組成物及び前研磨用組成物中に酸化剤が含まれていると、当該研磨用組成物が研磨対象物（例えばシリコンウェーハ）に供給されることで該研磨対象物の表面が酸化されて酸化膜が生じ、これにより所要研磨時間が長くなってしまうためである。ここでいう酸化剤の具体例としては、過酸化水素（Ｈ２Ｏ２）、過硫酸ナトリウム、過硫酸アンモニウム、過マンガン酸カリウム、ジクロロイソシアヌル酸ナトリウム等があげられる。
【００８２】
なお、仕上げ研磨用組成物及び前研磨用組成物が酸化剤を実質的に含まないとは、少なくとも意図的には酸化剤を含有させないことをいう。したがって、原料や製法等に由来して微量（例えば、仕上げ研磨用組成物及び前研磨用組成物中における酸化剤のモル濃度が０．０００５モル／Ｌ以下、好ましくは０．０００１モル以下、より好ましくは０．００００１モル／Ｌ以下、特に好ましくは０．０００００１モル／Ｌ以下）の酸化剤が不可避的に含まれている研磨用組成物（仕上げ研磨用組成物、前研磨用組成物）は、ここでいう酸化剤を実質的に含有しない研磨用組成物の概念に包含され得る。
【００８３】
１０．シリコンウェーハの研磨方法について
本実施形態の仕上げ研磨用組成物及び前研磨用組成物を用いたシリコンウェーハの研磨は、通常の研磨に用いられる研磨装置や研磨条件により行うことができる。例えば片面研磨装置や両面研磨装置を使用することができる。
【００８４】
例えば、片面研磨装置を用いてシリコンウェーハを研磨する場合には、キャリアと呼ばれる保持具を用いてシリコンウェーハを保持し、研磨布が貼付された定盤をシリコンウェーハの片面に押しつけて本実施形態の仕上げ研磨用組成物又は前研磨用組成物を供給しながら定盤を回転させることにより、シリコンウェーハの片面を研磨する。
【００８５】
また、両面研磨装置を用いてシリコンウェーハを研磨する場合には、キャリアと呼ばれる保持具を用いてシリコンウェーハを保持し、研磨布が貼付された定盤をシリコンウェーハの両側からシリコンウェーハの両面にそれぞれ押しつけて、本実施形態の仕上げ研磨用組成物又は前研磨用組成物を供給しながら両側の定盤を回転させることにより、シリコンウェーハの両面を研磨する。
【００８６】
いずれの研磨装置を用いた場合でも、摩擦（研磨布及び研磨用組成物（仕上げ研磨用組成物、前研磨用組成物）と、シリコンウェーハとの摩擦）による物理的作用と、仕上げ研磨用組成物、前研磨用組成物がシリコンウェーハにもたらす化学的作用とによってシリコンウェーハが研磨される。
【００８７】
研磨布としては、ポリウレタン、不織布、スウェード等の種々の素材のものを用いることができる。また、素材の違いの他、硬度や厚さ等の物性が種々異なるものを用いることができる。さらに、砥粒を含むもの、砥粒を含まないもののいずれも用いることができるが、砥粒を含まないものを使用することが好ましい。さらに、液状の仕上げ研磨用組成物、前研磨用組成物が溜まるような溝加工が施されているものを使用することができる。
【００８８】
さらに、仕上げ研磨工程、前研磨工程いずれにおいても、研磨条件のうち研磨荷重（シリコンウェーハに負荷する圧力）については特に限定されないが、５ｋＰａ以上５０ｋＰａ以下としてもよく、好ましくは８ｋＰａ以上３０ｋＰａ以下であり、より好ましくは１０ｋＰａ以上２０ｋＰａ以下である。研磨荷重がこの範囲内であれば、十分な研磨速度が発揮され、荷重によりシリコンウェーハが破損したり、シリコンウェーハの表面に傷等の欠陥が発生したりすることを抑制することができる。
【００８９】
また、研磨条件のうち、研磨に用いられる研磨布とシリコンウェーハとの相対速度（線速度）は特に限定されないが、１０ｍ／分以上３００ｍ／分以下としてもよく、好ましくは３０ｍ／分以上２００ｍ／分以下である。研磨布とシリコンウェーハとの相対速度がこの範囲内であれば、十分な研磨速度が得られる。また、シリコンウェーハの摩擦による研磨布の破損を抑制でき、さらにシリコンウェーハへ摩擦が十分に伝わり、いわゆるシリコンウェーハが滑る状態を抑制することができ、十分に研磨することができる。
【００９０】
さらに、研磨条件のうち仕上げ研磨用組成物及び前研磨用組成物の供給量については、シリコンウェーハの種類、研磨装置の種類、研磨条件によっても異なるが、シリコンウェーハと研磨布との間に仕上げ研磨用組成物、前研磨用組成物がムラ無く全面に供給されるのに十分な量であればよい。仕上げ研磨用組成物、前研磨用組成物の供給量が少ない場合は、仕上げ研磨用組成物、前研磨用組成物がシリコンウェーハ全体に供給されないことや、仕上げ研磨用組成物、前研磨用組成物が乾燥凝固しシリコンウェーハの表面に欠陥を生じさせることがある。逆に仕上げ研磨用組成物、前研磨用組成物の供給量が多い場合は、経済的でないことの他、過剰な仕上げ研磨用組成物、前研磨用組成物（特に水）により摩擦が妨げられて研磨が阻害されるおそれがある。
【００９１】
さらに、本実施形態の仕上げ研磨用組成物、前研磨用組成物は、シリコンウェーハの研磨に使用された後に回収し、シリコンウェーハの研磨に再使用することができる。仕上げ研磨用組成物、前研磨用組成物を再使用する方法の一例としては、研磨装置から排出された仕上げ研磨用組成物、前研磨用組成物をタンクに回収し、再度研磨装置内へ循環させて研磨に使用する方法があげられる。仕上げ研磨用組成物、前研磨用組成物を循環使用すれば、廃液として排出される仕上げ研磨用組成物、前研磨用組成物の量を減らすことができるので、環境負荷を低減することができる。また、使用する仕上げ研磨用組成物、前研磨用組成物の量を減らすことができるので、シリコンウェーハの研磨に要する製造コストを抑制することができる。
【００９２】
本実施形態の仕上げ研磨用組成物、前研磨用組成物を再使用する際には、研磨に使用したことにより消費、損失された砥粒、水溶性高分子、塩基性化合物、添加剤等の一部又は全部を、組成調整剤として添加した上で再使用するとよい。組成調整剤としては、砥粒、水溶性高分子、塩基性化合物、添加剤等を任意の混合比率で混合したものを用いることができる。組成調整剤を追加で添加することにより、仕上げ研磨用組成物、前研磨用組成物が再使用されるのに好適な組成に調整され、好適な研磨を行うことができる。組成調整剤に含有される砥粒、水溶性高分子、塩基性化合物、及びその他の添加剤の濃度は任意であり、特に限定されず、タンクの大きさや研磨条件に応じて適宜調整すればよい。
【００９３】
なお、本実施形態は本発明の一例を示したものであって、本発明は本実施形態に限定されるものではない。また、本実施形態には種々の変更又は改良を加えることが可能であり、その様な変更又は改良を加えた形態も本発明に含まれ得る。例えば、本実施形態の仕上げ研磨用組成物、前研磨用組成物は、一液型であってもよいし、仕上げ研磨用組成物、前研磨用組成物の成分の一部又は全部を任意の比率で混合した二液型等の多液型であってもよい。また、シリコンウェーハの研磨においては、本実施形態の仕上げ研磨用組成物、前研磨用組成物の原液をそのまま用いて研磨を行ってもよいが、原液を水等の希釈液で例えば１０倍以上に希釈した仕上げ研磨用組成物、前研磨用組成物の希釈物を用いて研磨を行ってもよい。
【００９４】
〔実施例〕
以下に実施例及び比較例を示し、表１、２を参照しながら本発明をさらに具体的に説明する。
平均一次粒子径が１２ｎｍ、２５ｎｍ、又は３５ｎｍのコロイダルシリカからなる砥粒と、塩基性化合物と、水溶性高分子と、界面活性剤と、純水とを混合して、前処理用組成物、標準研磨用組成物、前研磨用組成物ａ、ｂ、ｃ、ｄ、ｈ、及び仕上げ研磨用組成物ｅ、ｆ、ｇ、ｉを製造した。各組成物中の砥粒、塩基性化合物、水溶性高分子、及び界面活性剤の含有量は、表１に記載の通りであり、残部は純水である。
【００９５】
使用した塩基性化合物の種類は、アンモニア（ＮＨ３）又は水酸化カリウム（ＫＯＨ）である。また、使用した水溶性高分子の種類と重量平均分子量は、表１に示す通りである。なお、表１に記載の「ＨＥＣ」はヒドロキシエチルセルロースを意味し、「ＰＶＰ」はポリビニルピロリドンを意味する。さらに、使用した界面活性剤は、エチレンオキシド（ＥＯ）とプロピレンオキシド（ＰＯ）とからなるブロック共重合体（ＰＥＯ−ＰＰＯ）、又は、ポリオキシエチレンデシルエーテル（Ｃ−ＰＥＯ）である。
【００９６】
【表１】
0006761025.tif 000002
【００９７】
次に、前研磨用組成物ａ、ｂ、ｃ、ｄ、ｈの親水性パラメータＰ１及び仕上げ精度パラメータＰ２と、仕上げ研磨用組成物ｅ、ｆ、ｇ、ｉの研磨加工性パラメータＦ１を求めた。結果を表２に示す。
【００９８】
【表２】
0006761025.tif 000003
【００９９】
親水性パラメータＰ１を求める標準試験１、仕上げ精度パラメータＰ２を求める標準試験２、及び研磨加工性パラメータＦ１を求める標準試験３の内容を以下に説明する。なお、標準試験１、２、３において各パラメータを求めるために使用する試験片の材質は、前研磨用組成物ａ、ｂ、ｃ、ｄ、ｈ及び仕上げ研磨用組成物ｅ、ｆ、ｇ、ｉを使用した研磨を施す研磨対象物であるシリコンウェーハと同材質である。
【０１００】
また、標準試験１、２、３においては、各パラメータを求めるための試験片又はその材料として、研磨対象物であるシリコンウェーハと同一物ではなく、研磨対象物であるシリコンウェーハと同材質のシリコンウェーハを使用するが、研磨対象物であるシリコンウェーハと同一物を試験片として使用してもよいことは勿論である。
【０１０１】
親水性パラメータＰ１は、下記のＸ１工程〜Ｘ６工程をこの順に行う標準試験１で求められる。
〔標準試験１〕
（Ｘ１）研磨対象物であるシリコンウェーハと同材質のシリコンウェーハ（本実施例では、直径３００ｍｍ、伝導型Ｐ型、結晶方位＜１００＞、結晶欠陥なしのシリコンウェーハ）に対して、前処理を施す。すなわち、シリコンウェーハに対して、前処理用組成物を使用する研磨を行った後に、標準研磨用組成物を使用する研磨を行い、さらに洗浄及び乾燥を行う。
【０１０２】
洗浄は、濃度２９質量％のアンモニア水、濃度３１質量％の過酸化水素水、脱イオン水（ＤＩＷ）を体積比１：３：３０で混合した洗浄液を用いて行った。より具体的には、周波数９５０ｋＨｚの超音波発振器を取り付けた洗浄槽を２つ用意し、それら第１及び第２の洗浄槽の各々に上記洗浄液を収容して６０℃に保持した。そして、研磨後のシリコンウェーハを第１の洗浄槽に上記超音波発振器を作動させた状態で６分間浸漬した後に、超純水を収容したリンス槽に超音波発振器を作動させた状態で浸漬してリンスし、さらに第２の洗浄槽に上記超音波発振器を作動させた状態で６分間浸漬した。以下、このような洗浄工程をＳＣ−１洗浄と記す。
【０１０３】
前処理用組成物を使用する研磨には、株式会社岡本工作機械製作所製の研磨機ＰＮＸ−３３２Ｂ、フジボウ株式会社製の研磨パッドＦＰ５５を使用し、その研磨条件は、研磨荷重２０ｋＰａ、定盤回転速度２０ｒｐｍ、キャリア回転速度２０ｒｐｍ、研磨時間２ｍｉｎ、前処理用組成物の供給速度１Ｌ／ｍｉｎ、前処理用組成物の温度２０℃、定盤冷却水の温度２０℃である。
【０１０４】
また、標準研磨用組成物を使用する研磨には、株式会社岡本工作機械製作所製の研磨機ＰＮＸ−３３２Ｂ、フジボウ株式会社製の研磨パッドＰＯＬＹＰＡＳ２７ＮＸを使用し、その研磨条件は、研磨荷重１５ｋＰａ、定盤回転速度３０ｒｐｍ、キャリア回転速度３０ｒｐｍ、研磨時間２ｍｉｎ、標準研磨用組成物の供給速度２Ｌ／ｍｉｎ、標準研磨用組成物の温度２０℃、定盤冷却水の温度２０℃である。
【０１０５】
前処理用組成物は、平均一次粒子径３５ｎｍのコロイダルシリカ０．９５質量％、水酸化カリウム０．０６５質量％を含有し、残部は純水である。
標準研磨用組成物は、平均一次粒子径３５ｎｍのコロイダルシリカ０．４６質量％、アンモニア０．００９質量％、重量平均分子量２５万のヒドロキシエチルセルロース０．０１７質量％、ポリエチレンオキシドとポリプロピレンオキシドとからなる共重合体０．００２質量％を含有し、残部は純水である。
【０１０６】
（Ｘ２）前処理を施したシリコンウェーハを切断して、一辺の長さが６０ｍｍの正方形のシリコンチップ試験片を作製する。このシリコンチップ試験片を濃度３質量％のフッ化水素水溶液に浸漬した後、純水で洗浄する。
【０１０７】
（Ｘ３）前研磨用組成物を使用して、Ｘ２工程で純水洗浄したシリコンチップ試験片を研磨する。このシリコンチップ試験片の研磨には、日本エンギス株式会社製の卓上研磨機ＥＪ−３８０ＩＮ、フジボウ株式会社製の研磨パッドＰＯＬＹＰＡＳ２７ＮＸを使用し、その研磨条件は、研磨荷重１６ｋＰａ、定盤回転速度３０ｒｐｍ、キャリア回転速度３０ｒｐｍ、研磨時間２ｍｉｎ、前研磨用組成物の供給速度３０ｍＬ／ｍｉｎ、前研磨用組成物の温度２０℃である。
【０１０８】
（Ｘ４）Ｘ３工程で研磨されたシリコンチップ試験片の表面を純水で洗浄して、前研磨用組成物を洗い流す。
（Ｘ５）Ｘ４工程で純水洗浄したシリコンチップ試験片を、該シリコンチップ試験片の一方の対角線が鉛直方向に沿うような姿勢で３０秒間静置し、対角線のうちシリコンチップ試験片の表面が純水で濡れていない領域の長さを測定し、その長さを撥水距離とする。
【０１０９】
（Ｘ６）測定した撥水距離から、下記式に基づいて前研磨用組成物の親水性パラメータＰ１を算出する。
親水性パラメータＰ１＝｛（シリコンチップ試験片の対角線の長さ［ｍｍ］）−（撥水距離［ｍｍ］）｝／（シリコンチップの対角線の長さ［ｍｍ］）×１００
仕上げ精度パラメータＰ２は、下記のＹ１工程〜Ｙ５工程をこの順に行う標準試験２で求められる。
【０１１０】
〔標準試験２〕
（Ｙ１）研磨対象物であるシリコンウェーハと同材質のシリコンウェーハ試験片（本実施例では、直径３００ｍｍ、伝導型Ｐ型、結晶方位＜１００＞、結晶欠陥なしのシリコンウェーハ試験片）に対して、標準試験１のＸ１工程と同様に前処理を施す。すなわち、シリコンウェーハ試験片に対して、前処理用組成物を使用する研磨を行った後に、標準研磨用組成物を使用する研磨を行い、さらにＳＣ−１洗浄及び乾燥を行う前処理を施す。
【０１１１】
（Ｙ２）前処理用組成物を使用して、Ｙ１工程で前処理を施したシリコンウェーハ試験片を再度研磨する。この研磨には、株式会社岡本工作機械製作所製の研磨機ＰＮＸ−３３２Ｂ、フジボウ株式会社製の研磨パッドＦＰ５５を使用し、その研磨条件は、研磨荷重２０ｋＰａ、定盤回転速度２０ｒｐｍ、キャリア回転速度２０ｒｐｍ、研磨時間２ｍｉｎ、前処理用組成物の供給速度１Ｌ／ｍｉｎ、前処理用組成物の温度２０℃、定盤冷却水の温度２０℃である。
【０１１２】
（Ｙ３）前研磨用組成物を使用して、Ｙ２工程の研磨を施したシリコンウェーハ試験片を研磨する。このシリコンウェーハ試験片の研磨には、株式会社岡本工作機械製作所製の研磨機ＰＮＸ−３３２Ｂ、フジボウ株式会社製の研磨パッドＰＯＬＹＰＡＳ２７ＮＸを使用する。また、このシリコンウェーハ試験片の研磨の研磨条件は、研磨荷重１５ｋＰａ、定盤回転速度３０ｒｐｍ、キャリア回転速度３０ｒｐｍ、研磨時間２ｍｉｎ、前研磨用組成物の供給速度２Ｌ／ｍｉｎ、前研磨用組成物の温度２０℃、定盤冷却水の温度２０℃である。
【０１１３】
（Ｙ４）標準研磨用組成物を使用して、Ｙ２工程の研磨を施したシリコンウェーハ試験片を研磨する。このシリコンウェーハ試験片の研磨には、株式会社岡本工作機械製作所製の研磨機ＰＮＸ−３３２Ｂ、フジボウ株式会社製の研磨パッドＰＯＬＹＰＡＳ２７ＮＸを使用する。また、このシリコンウェーハ試験片の研磨の研磨条件は、研磨荷重１５ｋＰａ、定盤回転速度３０ｒｐｍ、キャリア回転速度３０ｒｐｍ、研磨時間２ｍｉｎ、標準研磨用組成物の供給速度２Ｌ／ｍｉｎ、標準研磨用組成物の温度２０℃、定盤冷却水の温度２０℃である。
【０１１４】
（Ｙ５）Ｙ３工程で研磨したシリコンウェーハ試験片とＹ４工程で研磨したシリコンウェーハ試験片について、それぞれＳＣ−１洗浄及び乾燥を行った後に、ケーエルエー・テンコール社製の表面異物検査装置ＳＵＲＦＳＣＡＮ  ＳＰ２を用いて、ＤＷＯモードで各シリコンウェーハ試験片の表面のヘイズを測定する。Ｙ３工程で研磨したシリコンウェーハ試験片のヘイズｈ２と、Ｙ４工程で研磨したシリコンウェーハ試験片のヘイズαとから、下記式に基づいて前研磨用組成物の仕上げ精度パラメータＰ２を算出する。
仕上げ精度パラメータＰ２＝ｈ２／α×１００
【０１１５】
研磨加工性パラメータＦ１は、下記のＺ１工程〜Ｚ６工程をこの順に行う標準試験３で求められる。
〔標準試験３〕
（Ｚ１）研磨対象物であるシリコンウェーハと同材質のシリコンウェーハ試験片（本実施例では、直径２００ｍｍ、伝導型Ｐ型、結晶方位＜１００＞、結晶欠陥なしのシリコンウェーハ試験片）に対して、前処理を施す。すなわち、シリコンウェーハ試験片に対して、前処理用組成物を使用する研磨を行った後に、標準研磨用組成物を使用する研磨を行い、さらにＳＣ−１洗浄及び乾燥を行う。
【０１１６】
前処理用組成物を使用する研磨には、株式会社岡本工作機械製作所製の研磨機ＰＮＸ−３２２、フジボウ株式会社製の研磨パッドＦＰ５５を使用し、その研磨条件は、研磨荷重１５ｋＰａ、定盤回転速度３０ｒｐｍ、キャリア回転速度３０ｒｐｍ、研磨時間３ｍｉｎ、前処理用組成物の供給速度０．５５Ｌ／ｍｉｎ、前処理用組成物の温度２０℃、定盤冷却水の温度２０℃である。
【０１１７】
また、標準研磨用組成物を使用する研磨には、株式会社岡本工作機械製作所製の研磨機ＰＮＸ−３２２、フジボウ株式会社製の研磨パッドＰＯＬＹＰＡＳ２７ＮＸを使用し、その研磨条件は、研磨荷重１５ｋＰａ、定盤回転速度３０ｒｐｍ、キャリア回転速度３０ｒｐｍ、研磨時間４ｍｉｎ、標準研磨用組成物の供給速度０．４Ｌ／ｍｉｎ、標準研磨用組成物の温度２０℃、定盤冷却水の温度２０℃である。
【０１１８】
（Ｚ２）Ｚ１工程で前処理を施したシリコンウェーハ試験片の質量を測定する。そして、シリコンウェーハ試験片を濃度３質量％のフッ化水素水溶液に浸漬した後、純水で洗浄する。
【０１１９】
（Ｚ３）仕上げ研磨用組成物を使用して、Ｚ２工程で純水洗浄したシリコンウェーハ試験片を研磨する。このシリコンウェーハ試験片の研磨には、株式会社岡本工作機械製作所製の研磨機ＰＮＸ−３２２、フジボウ株式会社製の研磨パッドＰＯＬＹＰＡＳ２７ＮＸを使用する。また、このシリコンウェーハ試験片の研磨の研磨条件は、研磨荷重１５ｋＰａ、定盤回転速度３０ｒｐｍ、キャリア回転速度３０ｒｐｍ、研磨時間１５ｍｉｎ、仕上げ研磨用組成物の供給速度０．４Ｌ／ｍｉｎ、仕上げ研磨用組成物の温度２０℃、定盤冷却水の温度２０℃である。
【０１２０】
（Ｚ４）標準研磨用組成物を使用して、Ｚ２工程で純水洗浄したシリコンウェーハ試験片を研磨する。このシリコンウェーハ試験片の研磨には、株式会社岡本工作機械製作所製の研磨機ＰＮＸ−３２２、フジボウ株式会社製の研磨パッドＰＯＬＹＰＡＳ２７ＮＸを使用する。また、このシリコンウェーハ試験片の研磨の研磨条件は、研磨荷重１５ｋＰａ、定盤回転速度３０ｒｐｍ、キャリア回転速度３０ｒｐｍ、研磨時間１５ｍｉｎ、標準研磨用組成物の供給速度０．４Ｌ／ｍｉｎ、標準研磨用組成物の温度２０℃、定盤冷却水の温度２０℃である。
【０１２１】
（Ｚ５）Ｚ３工程で研磨したシリコンウェーハ試験片とＺ４工程で研磨したシリコンウェーハ試験片について、それぞれＳＣ−１洗浄及び乾燥を行った後に、質量を測定する。
（Ｚ６）Ｚ２工程で測定したシリコンウェーハ試験片の質量とＺ５工程で測定したシリコンウェーハ試験片の質量との差から、Ｚ３工程の研磨の研磨速度ＲとＺ４工程の研磨の研磨速度βとをそれぞれ算出する。そして、下記式に基づいて仕上げ研磨用組成物の研磨加工性パラメータＦ１を算出する。
研磨加工性パラメータＦ１＝Ｒ／β×１００
【０１２２】
このような前研磨用組成物ａ、ｂ、ｃ、ｄ、ｈと仕上げ研磨用組成物ｅ、ｆ、ｇ、ｉとを適宜組み合わせて、実施例１、参考例１〜３及び比較例１〜４の研磨用組成物セットを作製した（表２を参照）。そして、これらの研磨用組成物セットを用いて研磨対象物であるシリコンウェーハの研磨を行って、研磨後のシリコンウェーハの表面のヘイズを測定した。シリコンウェーハの研磨方法は、前処理用組成物を使用して研磨を行う１次研磨工程と、前研磨用組成物を使用して研磨を行う前研磨工程（２次研磨工程）と、仕上げ研磨用組成物を使用して研磨を行う仕上げ研磨工程と、を備える方法とした。
【０１２３】
シリコンウェーハの研磨方法及びヘイズの測定方法について、具体的に説明する。
（１）まず、直径３００ｍｍ、伝導型Ｐ型、結晶方位＜１００＞、結晶欠陥なしのシリコンウェーハに対して、標準試験１のＸ１工程と同様に前処理を施す。すなわち、シリコンウェーハに対して、前処理用組成物を使用する研磨を行った後に、標準研磨用組成物を使用する研磨を行い、さらにＳＣ−１洗浄及び乾燥を行う前処理を施す。
【０１２４】
（２）続いて、前処理用組成物を使用して、（１）の工程で前処理を施したシリコンウェーハを再度研磨する。このシリコンウェーハの研磨の際に使用する研磨装置及び研磨パッドは、標準試験２のＹ２工程と同様である。また、このシリコンウェーハの研磨の研磨条件は、標準試験２のＹ２工程と同様である。
【０１２５】
（３）次に、研磨用組成物セットの前研磨用組成物を使用して、（２）の工程で前処理用組成物を使用して再度研磨したシリコンウェーハをさらに研磨する。このシリコンウェーハの研磨の際に使用する研磨装置及び研磨パッドは、標準試験２のＹ３工程と同様である。また、このシリコンウェーハの研磨の研磨条件は、標準試験２のＹ３工程と同様である。
【０１２６】
（４）さらに、研磨用組成物セットの仕上げ研磨用組成物を使用して、（３）の工程で前研磨用組成物を使用して研磨したシリコンウェーハをさらに研磨する。このシリコンウェーハの研磨の際に使用する研磨装置及び研磨パッドは、標準試験２のＹ３工程と同様である。また、このシリコンウェーハの研磨の研磨条件は、標準試験２のＹ３工程と同様である。
【０１２７】
（５）そして、（４）の工程で仕上げ研磨用組成物を使用して研磨したシリコンウェーハについて、ＳＣ−１洗浄及び乾燥を行った後に、ケーエルエー・テンコール社製の表面異物検査装置ＳＵＲＦＳＣＡＮ  ＳＰ２を用いて、ＤＷＯモードでシリコンウェーハの表面のヘイズを測定する。
【０１２８】
ヘイズの測定結果を表２に示す。実施例１及び参考例１〜３の研磨用組成物セットを使用して研磨したシリコンウェーハは、前研磨用組成物の親水性パラメータＰ１が１００未満で、前研磨用組成物の仕上げ精度パラメータＰ２が１０００以下で、仕上げ研磨用組成物の研磨加工性パラメータＦ１が８０以下であるため、仕上げ研磨後のシリコンウェーハの表面のヘイズが低く、高品位な被研磨面が得られた。
【０１２９】
これに対して、比較例１〜４の研磨用組成物セットを使用して研磨したシリコンウェーハは、前研磨用組成物の親水性パラメータＰ１、前研磨用組成物の仕上げ精度パラメータＰ２、及び仕上げ研磨用組成物の研磨加工性パラメータＦ１のいずれかが必要な要件を満たしていないので、仕上げ研磨後のシリコンウェーハの表面のヘイズが高かった。